(57)【要約】【課題】水害による冠水時、水位が上昇しても自動車が沈むのを防ぐ駐車台装置を提供する。【解決手段】平時には地面上に載置され、自動車を駐車可能な上面を有し、水害時には自動車の水没を防いで自動車を守る駐車台装置であって、自動車が駐車した状態で、浸水により水位が上昇したときに、浮上し得る構造の駐車台２を備え、駐車台２は、駐車した自動車６０のタイヤが載る部分に天地方向に貫通した孔を有し、前記孔内には、平時の駐車時にタイヤを支え、冠水したときに駐車台と共に浮上しない重量を持つタイヤ支持部材３ａ〜３ｄが嵌っており、冠水により水位が上昇したとき、タイヤ支持部材３ａ〜３ｄが地面側に残り、駐車台２が浮上することにより、タイヤが前記孔に嵌り、自動車６０が駐車台２上に固定される。タイヤが孔に嵌る構成を採用したことにより、横波により自動車６０が横転することを抑えることができる。【選択図】図４
2015078543.tif 000002
【特許請求の範囲】
【請求項１】
平時には地面上に載置され、自動車を駐車可能な上面を有し、水害時には自動車の水没を防いで自動車を守る駐車台装置であって、
自動車が駐車した状態で、浸水により水位が上昇したときに、浮上し得る構造の駐車台を備え、
前記駐車台は、駐車した自動車のタイヤが載る部分に天地方向に貫通した孔を有し、
前記孔内には、平時の駐車時にタイヤを支え、冠水したときに駐車台と共に浮上せず、タイヤにより押し下げられる程度の浮力、又は浮力を有さない重量のタイヤ支持部材が嵌っており、
冠水により水位が上昇したとき、前記タイヤ支持部材が地面側に残り、駐車台が浮上することにより、タイヤが前記孔に嵌り、自動車が駐車台上に固定されることを特徴とする駐車台装置。
【請求項２】
前記駐車台は、自動車を載せた状態で浮上するだけの浮力を有する発泡樹脂製のブロックと、前記ブロックの自動車の車輪の通る走行路上を補強し、かつ、樹脂ブロックに加わる力を分散させる補強版と、を備えていることを特徴とする請求項１に記載の駐車台装置。
【請求項３】
前記ブロックは、一塊のブロックへと合体可能なように複数に分割された部品と、前記複数の部品を一つのブロックにまとめる固定具と、を備えていることを特徴とする請求項２に記載の駐車台装置。
【発明の詳細な説明】
【技術分野】
【０００１】
本発明は、水害により冠水し、その水位が上昇したときに自動車の水没を防ぐ浮きとして機能する駐車台装置に関する。
【背景技術】
【０００２】
従来、平時は自家用車のトランクルームに収納しておき、水害時にトランクルームから取り出して、空気を充填して膨らませることによって、冠水したときに自動車の水没を防ぐプレート状の浮きとなる装置が提案されている（特許文献１参照）。
【先行技術文献】
【特許文献】
【０００３】
【特許文献１】実用新案登録第３１６８９９２号公報
【発明の概要】
【発明が解決しようとする課題】
【０００４】
従来の装置は、空気を入れて膨らますのに時間を要するため、津波のような急激な水位上昇時には使えない。また、プレート状の浮きの上に自動車を載せるだけであるため、重心が高く、横波により横転し易い。
【０００５】
本発明は、上記従来例の問題を解決するためになされたものであり、津波のような急激な水位上昇時に直ちに浮きとして機能し、横波に比較的、横転しにくい駐車台装置を提供することを目的とする。
【課題を解決するための手段】
【０００６】
上記目的を達成するために本発明は、平時には地面上に載置され、自動車を駐車可能な上面を有し、水害時には自動車の水没を防いで自動車を守る駐車台装置であって、自動車が駐車した状態で、浸水により水位が上昇したときに、浮上し得る構造の駐車台を備え、前記駐車台は、駐車した自動車のタイヤが載る部分に天地方向に貫通した孔を有し、前記孔内には、平時の駐車時にタイヤを支え、冠水したときに駐車台と共に浮上せず、タイヤにより押し下げられる程度の浮力、又は浮力を有さない重量のタイヤ支持部材が嵌っており、冠水により水位が上昇したとき、前記タイヤ支持部材が地面側に残り、駐車台が浮上することにより、タイヤが前記孔に嵌り、自動車が駐車台上に固定されることを特徴とする。
【０００７】
前記駐車台は、自動車を載せた状態で浮上するだけの浮力を有する発泡樹脂製のブロックと、前記ブロックの自動車の車輪の通る走行路上を補強し、かつ、樹脂ブロックに加わる力を分散させる補強版と、を備えていることが好ましい。
【０００８】
前記ブロックは、一塊のブロックへと合体可能なように複数に分割された部品と、前記複数の部品を一つのブロックにまとめる固定具と、を備えていることが好ましい。
【発明の効果】
【０００９】
本発明によれば、水害時、駐車台が浮きとして機能し、その際に、自動車のタイヤが駐車台の孔に嵌るので、駐車台が傾いても自動車が駐車台からずり落ちない。また、タイヤが孔に嵌ることにより駐車台上での自動車の重心が下がるので、横波による横転を抑制することができる。
【図面の簡単な説明】
【００１０】
【図１】本発明の一実施の形態に係る駐車台装置の斜視図。
【図２】同駐車台装置の正面図、平面図、左側面図、及び背面図。
【図３】同駐車台装置の構成を説明するための分解斜視図。
【図４】（ａ）は平時の同駐車台装置の使用状態を示す側面図、（ｂ）は水害時の同駐車台装置の使用状態を示す側面図。
【発明を実施するための形態】
【００１１】
本発明の駐車台装置は、水害により冠水し水位が上昇したときに、自らの浮力で浮上し得る駐車台を備えている。駐車台は、自動車が駐車した状態で、浸水により水位が上昇したときに、浮上し得る構造、例えば発泡樹脂製のブロックで構成されている。駐車台は、駐車した自動車のタイヤが載る位置に天地方向に貫通している孔を有しており、各孔には、冠水したときに駐車台と共に浮上せず、タイヤにより押し下げられる程度の浮力、又は浮力を有さない重量のタイヤ支持部材が嵌っている。上記構成の駐車台装置では、水害時に冠水したとき、タイヤ支持部材が地面側に残り、駐車台が浮上することにより、タイヤが孔に嵌り、自動車が駐車台上に固定される。
【００１２】
図１乃至図３に示すように、本発明の一実施の形態に係る駐車台装置１は、地面７０に敷いて、又は、その表面が地面７０と同一の高さとなるように埋設して使用される駐車台２を備えている。駐車台２は、浮力を有する発泡樹脂、例えば発泡ウレタンで造られており、駐車した自動車６０（図４参照）のタイヤが載る位置に天地方向に貫通している孔（タイヤ落とし穴）２ａ、２ｂ、２ｃ、２ｄを有している。各孔２ａ〜２ｄには、冠水したときに駐車台２と共に浮上しない重量を持つタイヤ支持部材３ａ、３ｂ、３ｃ、３ｄが嵌っている。タイヤ支持部材３ａ〜３ｄは、駐車している自動車を支持するのに十分な強度を有している。
【００１３】
駐車台２の周囲には、駐車している自動車６０のタイヤの前後車軸６０ａ、６０ｂ（図４参照）を跨ぐように取り付けられ、自動車を駐車台２に固定するための伸縮性を有しているバンド状のホイル固定ラバーロープ４ａ、４ｂ、４ｃ、４ｄが設けられている。このホイル固定ラバーロープ４ａ、４ｂ、４ｃ、４ｄは、例えばカンフック４ｅ（図２を参照）によって、駐車台２に取り付けられる。
【００１４】
駐車台２を地面７０に敷いて用いる場合、地面７０と駐車台２の上面とを繋ぐスロープ部品（ブリッジ）５ａ、５ｂを用いる。
【００１５】
駐車台２の面上には、乗り降りする際の自動車６０の走行路上に、４つのタイヤから加わる力によって駐車台２が凹まないように力を分散させる補強版６ａ、６ｂが、設けられている。補強板６ａ、６ｂの表面には、タイヤが滑らないようにする凸凹が設けられている。タイヤ支持部材３ａ〜３ｄの上面にも、同様の凸凹の付された補強版６ｃ〜６ｆが設けられている。
【００１６】
図３の分解斜視図に示すように、駐車台２は、一塊のブロックへと合体可能なように複数に分割された部品２０と、前記複数の部品２０を一つのブロックにまとめる固定具２１とを備えている。部品２０は、直方体の８個の分割部品（荷役用樹脂製パレットのブロック）２０ａ、２０ｂ、２０ｃ、２０ｄ、２０ｅ、２０ｆ、２０ｇ、２０ｈで構成され、４つの分割部品２０ａ〜２０ｄを並べた上層と、４つの分割部品２０ｅ〜２０ｈを並べた下層とを重ね合わせることにより、一塊のブロックとなる。各分割部品は、同じ外形寸法を有する直方体の形状を有している。上下に位置する分割部品には、タイヤ支持部材３ａ〜３ｄが嵌る天地方向に連通している孔２ａ〜２ｄが設けられている。当該構成を採用することにより、駐車台装置１を設置する場所まで駐車台２を運搬する作業が容易になる。
【００１７】
８個の分割部品２０ａ〜２０ｈは、固定具２１により、１塊のブロックに合体される。詳しくは、分割部品２０ａ〜２０ｈの外周部分は、組立補強版２１ａ〜２１ｈにより隣り合う分割部品同士が連結されている。また、組立補強板２１ａ〜２１ｈの間は、保護版２１ｉ〜２１ｐにより連結されている。また、分割備品２０ａ〜２０ｄの上縁部分には、保護アングルが取り付けられている。なお、図３においては、分割部品２０ａ〜２０ｈは合体前のものも合体後のものも実線で描いている。
【００１８】
一実施例において、分割部品２０ａ〜２０ｈは、自重５０ｋｇ、寸法１４５０ｍｍ×１７５０ｍｍ×１５０ｍｍのウレタン樹脂で構成される。この場合、３０４５ｋｇの浮力が得られる。駐車台２の重量（分割備品の重量＋固定具２１の重量＝約８００ｋｇ）を考慮しても、自動車、避難している人及び荷物の総重量が約２．２ｔまでのものを浮かすことができる。なお、分割部品を４枚追加して３層構造とすれば、４５６７ｋｇの浮力が得られる。駐車台２の重量（分割備品の重量＋固定具２１の重量＝約１０００ｋｇ）を考慮しても、自動車、避難している人及び荷物の総重量が約３．５ｔまでのものを浮かすことができる。
【００１９】
タイヤ支持部材３ａ〜３ｄは、水害時、冠水したときに駐車台２が浮上するのに対し、タイヤにより押し下げられる程度の浮力しか有していない構造物、または、浮上しない、例えばコンクリート、鉄などの直方体の沈下ブロックで構成される。
【００２０】
図４（ａ）に示すように、平時、外出先より帰ってきた自動車６０の所有者は、駐車台２上に自動車６０を駐車する。例えば、予報などに基づく災害対策時、または、冠水が始まった場合には、ホイル固定ラバーロープ４ａ、４ｂ、４ｃ、４ｄを、車軸６０ａ、６０ｂを跨ぐように取り付ける。
【００２１】
図４（ｂ）に示すように、水害により冠水した場合（波線は水面を示す）、駐車台２は、その浮力により直ちに駐車している自動車６０を浮上させるので、津波のように水位が急に上昇した時でも直ちに浮きとして機能する。駐車台２の浮上に伴い、タイヤ支持部材３ａ〜３ｄは、孔２ａ〜２ｄの下方に沈み、その結果、図示のようにタイヤが孔２ａ〜２ｄに嵌り、自動車６０が駐車台２上に固定される。これにより、駐車台２上の自動車６０は、横波等により駐車台２が傾いても、バランスを崩してずり落ちたりしない。また、タイヤが孔２ａ〜２ｄに嵌ることにより、駐車台２上での自動車６０の重心が下がるので、横波によって駐車台２が横転することを有効に抑制することができる。これにより、自動車６０の車内を避難用シェルターとして使用することができる。
【００２２】
図４（ｂ）に示すように、駐車台２は、浮上した際の浮動範囲を制限して押し流されないようにする、チェーン、ワイヤー、伸縮性のあるロープ等の連結具（押し流し防止ワイヤー）３０により地中に埋めてある錘３１に繋がれていることが好ましい。なお、連結具３０の長さは、冠水時に想定される水位により定める。駐車台装置１は、駐車台２の浮上に伴いタイヤが孔２ａ〜２ｄに嵌る構成を採用しているので、自動車６０がずり落ちにくく、万が一、想定する深さよりも水位が上昇した場合でも、直ちにバランスを崩して横転し、自動車６０が沈むような事態を有効に抑制することができる。
【００２３】
なお、本発明は、上記各種実施形態の構成に限られず、発明の趣旨を変更しない範囲で種々の変形が可能である。例えば、錘３１は、地中に埋めてなくても近くにある既存の建築物で代用してもよい。また、波止場で船を留めておく場合のように、近くにポールを建てて、該ポールにリングを取り付け、該リングに連結具３０を取り付ける構成を採用してもよい。この場合、浮上した際に駐車台２が浮動する範囲をより制限することができる。
【産業上の利用可能性】
【００２４】
本発明の駐車台装置は、タイヤ支持部材３ａ〜３ｄを収める孔２ａ〜２ｄの位置及びサイズを種々変更することにより、種々のサイズの自動車用の装置を用意することができる。この場合、ホイル固定ラバーロープ４ａ、４ｂ、４ｃ、４ｄ、スロープ部品(ブリッジ）５ａ、５ｂ、固定具２１については設計変更することなく使用できる利点がある。
【符号の説明】
【００２５】
１              駐車台装置
２              駐車台
２ａ〜２ｄ      孔
３ａ〜３ｄ      タイヤ支持部材
４ａ〜４ｄ      ホイル固定ラバーロープ
２０ａ〜２０ｈ  分割部品（ブロック）
５ａ、５ｂ      スロープ部品
２０ａ〜２０ｈ  分割部品
２１ａ〜２１ｈ  固定具（組立補強板）
６ａ、６ｂ、６ｃ〜６ｆ      補強板
３０            連結具
３１            錘
６０            自動車
６０ａ、６０ｂ  車軸
７０            地面
【図１】
2015078543.tif 000003
【図２】
2015078543.tif 000004
【図３】
2015078543.tif 000005
【図４】
2015078543.tif 000006